【手続補正書】
【提出日】平成24年3月12日(2012.3.12)
【手続補正１】
【補正対象書類名】明細書
【補正対象項目名】０００９
【補正方法】変更
【補正の内容】
【０００９】
上記目的を達成するために、請求項１記載の画像処理装置は、装置内部の電力供給の状態が異なる第一の電力モードと第二の電力モードを含む複数の電力モードを有する画像処理装置において、前記第一の電力モードから前記第二の電力モードへ電力モードを切り替える切り替え手段と、前記画像処理装置の操作部に接近する生体を検知するよう配置される第一の生体検知手段と、前記画像処理装置の前記操作部以外の所定の箇所に接近する生体を検知するよう配置される第二の生体検知手段とを備え、前記切り替え手段は、前記第一の電力モードにおいて前記第一の生体検知手段が生体を検知したときに前記第二の生体検知手段が生体を検知していなければ、前記第二の電力モードに切り替え、前記第一の生体検知手段が生体を検知したときに前記第二の生体検知手段が生体を検知していれば、前記第一の電力モードを維持することを特徴とする。
【手続補正２】
【補正対象書類名】明細書
【補正対象項目名】００１０
【補正方法】変更
【補正の内容】
【００１０】
請求項２記載の画像処理装置は、装置内部の電力供給の状態が異なる第一の電力モードと第二の電力モードを含む複数の電力モードを有する画像処理装置において、前記第一の電力モードから前記第二の電力モードへ電力モードを切り替える切り替え手段と、前記画像処理装置の操作部に接近する生体を検知するよう配置される第一の生体検知手段と、前記画像処理装置の前記操作部以外の所定の箇所に接近する生体を検知するよう配置される第二の生体検知手段とを備え、前記第一の生体検知手段は、装置に接近する生体を第一の検知強度で検知するとともに、前記第一の検知強度よりもより生体が装置に近づいたとき第二の検知強度で前記生体を検知し、前記切り替え手段は、前記第一の電力モードにおいて前記第一の生体検知手段が前記第二の検知強度で生体を検知したときに前記第二の電力モードに切り替え、前記第一の生体検知手段が前記第一の検知強度で生体を検知したときに前記第二の生体検知手段が生体を検知していなければ前記第二の電力モードに切り替え、前記第一の生体検知手段が前記第一の検知強度で生体を検知したときに前記第二の生体検知手段が生体を検知していれば前記第一の電力モードを維持することを特徴とする。
【手続補正３】
【補正対象書類名】明細書
【補正対象項目名】００１１
【補正方法】変更
【補正の内容】
【００１１】
請求項３記載の画像処理装置は、装置内部の電力供給の状態が異なる第一の電力モードと第二の電力モードを含む複数の電力モードを有する画像処理装置において、前記第一の電力モードから前記第二の電力モードへ電力モードを切り替える切り替え手段と、装置の特定の状態を検知する状態検知手段と、前記画像処理装置の操作部に接近する生体を検知するよう配置される第一の生体検知手段とを備え、前記第一の生体検知手段は、装置に接近する生体を第一の検知強度で検知するとともに、前記第一の検知強度よりもより生体が装置に近づいたときに第二の検知強度で前記生体を検知し、前記切り替え手段は、前記第一の電力モードにおいて前記第一の生体検知手段が前記第二の検知強度で生体を検知したときに前記第二の電力モードに切り替え、前記第一の生体検知手段が前記第一の検知強度で生体を検知したときに前記状態検知手段が前記特定の状態を検知していなければ前記第二の電力モードに切り替え、前記第一の生体検知手段が前記第一の検知強度で生体を検知したときに前記状態検知手段が前記特定の状態を検知していれば前記第一の電力モードを維持することを特徴とする。
【手続補正４】
【補正対象書類名】特許請求の範囲
【補正対象項目名】全文
【補正方法】変更
【補正の内容】
【特許請求の範囲】
【請求項１】
装置内部の電力供給の状態が異なる第一の電力モードと第二の電力モードを含む複数の電力モードを有する画像処理装置において、
前記第一の電力モードから前記第二の電力モードへ電力モードを切り替える切り替え手段と、
前記画像処理装置の操作部に接近する生体を検知するよう配置される第一の生体検知手段と、
前記画像処理装置の前記操作部以外の所定の箇所に接近する生体を検知するよう配置される第二の生体検知手段とを備え、
前記切り替え手段は、前記第一の電力モードにおいて前記第一の生体検知手段が生体を検知したときに前記第二の生体検知手段が生体を検知していなければ、前記第二の電力モードに切り替え、前記第一の生体検知手段が生体を検知したときに前記第二の生体検知手段が生体を検知していれば、前記第一の電力モードを維持することを特徴とする画像処理装置。
【請求項２】
装置内部の電力供給の状態が異なる第一の電力モードと第二の電力モードを含む複数の電力モードを有する画像処理装置において、
前記第一の電力モードから前記第二の電力モードへ電力モードを切り替える切り替え手段と、
前記画像処理装置の操作部に接近する生体を検知するよう配置される第一の生体検知手段と、
前記画像処理装置の前記操作部以外の所定の箇所に接近する生体を検知するよう配置される第二の生体検知手段とを備え、
前記第一の生体検知手段は、装置に接近する生体を第一の検知強度で検知するとともに、前記第一の検知強度よりもより生体が装置に近づいたとき第二の検知強度で前記生体を検知し、
前記切り替え手段は、前記第一の電力モードにおいて前記第一の生体検知手段が前記第二の検知強度で生体を検知したときに前記第二の電力モードに切り替え、前記第一の生体検知手段が前記第一の検知強度で生体を検知したときに前記第二の生体検知手段が生体を検知していなければ前記第二の電力モードに切り替え、前記第一の生体検知手段が前記第一の検知強度で生体を検知したときに前記第二の生体検知手段が生体を検知していれば前記第一の電力モードを維持することを特徴とする画像処理装置。
【請求項３】
装置内部の電力供給の状態が異なる第一の電力モードと第二の電力モードを含む複数の電力モードを有する画像処理装置において、
前記第一の電力モードから前記第二の電力モードへ電力モードを切り替える切り替え手段と、
装置の特定の状態を検知する状態検知手段と、
前記画像処理装置の操作部に接近する生体を検知するよう配置される第一の生体検知手段とを備え、
前記第一の生体検知手段は、装置に接近する生体を第一の検知強度で検知するとともに、前記第一の検知強度よりもより生体が装置に近づいたときに第二の検知強度で前記生体を検知し、
前記切り替え手段は、前記第一の電力モードにおいて前記第一の生体検知手段が前記第二の検知強度で生体を検知したときに前記第二の電力モードに切り替え、前記第一の生体検知手段が前記第一の検知強度で生体を検知したときに前記状態検知手段が前記特定の状態を検知していなければ前記第二の電力モードに切り替え、前記第一の生体検知手段が前記第一の検知強度で生体を検知したときに前記状態検知手段が前記特定の状態を検知していれば前記第一の電力モードを維持することを特徴とする画像処理装置。
【請求項４】
タイマを備え、前記特定の状態になってから前記タイマの計測による一定時間の経過後に前記状態検知手段は、前記特定の状態を検知することを特徴とする請求項３記載の画像処理装置。
【請求項５】
前記特定の状態は、排紙部に排紙された用紙がある状態であることを特徴とする請求項３記載の画像処理装置。
【請求項６】
前記特定の状態は、給紙部に用紙がない状態であることを特徴とする請求項３記載の画像処理装置。
【請求項７】
前記特定の状態は、トナーがない状態であることを特徴とする請求項３記載の画像処理装置。
【請求項８】
前記第一の生体検知手段は、前記操作部に配置されることを特徴とする請求項１乃至３のいずれか１項に記載の画像処理装置。
【請求項９】
前記操作部以外の所定の箇所は排紙部であることを特徴とする請求項１又は２記載の画像処理装置。